【手続補正書】
【提出日】平成18年9月6日(2006.9.6)
【手続補正１】
【補正対象書類名】明細書
【補正対象項目名】特許請求の範囲
【補正方法】変更
【補正の内容】
【特許請求の範囲】
【請求項１】  ４０〜９０％のアイソタクチックポリプロピレンと１０％〜６０％の第２の成分を含む接着テープバッキングであって、前記第２の成分がポリオレフィンを含み、貫入試験−２．５４ｃｍに従って前記テープバッキングを試験した場合に前記バッキングの貫入エネルギーが最大で２０Ｊ／ｃｍ2となるように前記テープバッキングが二軸延伸されている接着テープバッキング。
【請求項２】  前記テープバッキングを貫入試験−２．５４ｃｍにより試験した場合に前記バッキングの貫入伸びが最大で１．３ｃｍとなるように前記テープバッキングが二軸延伸されている、請求項１に記載のテープバッキング。
【請求項３】  前記アイソタクチックポリプロピレンが第１の融点を有し、前記第２の成分が前記第１の融点よりも低温で１００℃より高温の第２の融点を有する、請求項１に記載のテープバッキング。
【請求項４】  前記バッキングのＭＤ引張強さが最大１４０ＭＰａである、請求項１に記載のテープバッキング。
【請求項５】  前記バッキングの領域延伸比が少なくとも３６：１である、請求項１に記載のテープバッキング。
【請求項６】  前記バッキングをのこ歯状プラスチック製切刃で分断した場合に、前記切刃の輪郭と厳密に一致したのこ歯状端部を示す、請求項１に記載のテープバッキング。
【請求項７】  前記バッキングが同時に二軸延伸されている、請求項１に記載のテープバッキング。
【手続補正２】
【補正対象書類名】明細書
【補正対象項目名】００７７
【補正方法】変更
【補正の内容】
【００７７】
これまで本発明をいくつかの実施形態を参照しながら説明してきた。これまでの詳細な説明および実施例は単に明確な理解を得るためのものである。これらは不必要な限定は行われないものと理解されたい。本発明の範囲から逸脱することなしに記載の実施形態の多くの変形が可能であることは当業者には明らかであろう。したがって本発明の範囲は、本明細書に記載の厳密な詳細および構造に限定されるべきではなく、請求項の文言で説明される構造、およびそれらの構造の同等物によって制限されるべきである。
本発明に関連する態様としては、以下のものがある。
本発明は、その第一の態様として、４０〜９０％のアイソタクチックポリプロピレンと１０％〜６０％の第２の成分を含む接着テープバッキングであって、前記第２の成分がポリオレフィンを含み、貫入試験−２．５４ｃｍに従って前記テープバッキングを試験した場合に前記バッキングの貫入エネルギーが最大で２０Ｊ／ｃｍ2となるように前記テープバッキングが二軸延伸されている接着テープバッキングに関する。
本発明は、その第二の態様として、前記第一の態様において、前記テープバッキングを貫入試験−２．５４ｃｍにより試験した場合に前記バッキングの貫入伸びが最大で１．３ｃｍとなるように前記テープバッキングが二軸延伸されている、テープバッキングに関する。
本発明は、その第三の態様として、前記第一の態様において、前記第２の成分がポリエチレン、ポリブチレン、またはシンジオタクチックポリプロピレンを含む、テープバッキングに関する。
本発明は、その第四の態様として、前記第三の態様において、前記バッキングが２０％〜４０％の前記第２の成分を含む、テープバッキングに関する。
本発明は、その第五の態様として、前記第四の態様において、前記バッキングが単層を含む、テープバッキングに関する。
本発明は、その第六の態様として、前記第一の態様において、前記アイソタクチックポリプロピレンが第１の融点を有し、前記第２の成分が前記第１の融点よりも低温で１００℃より高温の第２の融点を有する、テープバッキングに関する。
本発明は、その第七の態様として、前記第六の態様において、前記第２の融点が約１２０℃〜１５５℃の間である、テープバッキングに関する。
本発明は、その第八の態様として、前記第一の態様において、前記バッキングのＭＤ引張強さが最大１４０ＭＰａである、テープバッキングに関する。
本発明は、その第九の態様として、前記第一の態様において、前記バッキングの領域延伸比が少なくとも３６：１である、テープバッキングに関する。
本発明は、その第十の態様として、前記第七の態様において、前記バッキングのＭＤＲが少なくとも４：１である、テープバッキングに関する。
本発明は、その第十一の態様として、前記第一の態様において、前記バッキングをのこ歯状プラスチック製切刃で分断した場合に、前記切刃の輪郭と厳密に一致したのこ歯状端部を示す、テープバッキングに関する。
本発明は、その第十二の態様として、前記第一の態様において、前記テープバッキングを貫入試験−２．５４ｃｍに従って試験した場合に、前記バッキングの貫入エネルギーが最大で８Ｊ／ｃｍ2となり、前記テープバッキングのＭＤ引張強さが最大で１００ＭＰａである、テープバッキングに関する。
本発明は、その第十三の態様として、前記第十の態様において、前記テープバッキングを貫入試験−２．５４ｃｍに従って試験した場合に、前記バッキングの貫入エネルギーが最大で５Ｊ／ｃｍ2となり、前記テープバッキングのＭＤ引張強さが最大で５０ＭＰａである、テープバッキングに関する。
本発明は、その第十四の態様として、前記第一の態様において、前記バッキングが同時に二軸延伸されている、テープバッキングに関する。
本発明は、その第十五の態様として、前記第一の態様において、前記バッキングの第１の主面上に接着剤層をさらに含む、テープバッキングに関する。
本発明は、その第十六の態様として、４０〜９０％のアイソタクチックポリプロピレンと１０％〜６０％の第２の成分を含む接着テープバッキングであって、前記第２の成分がポリオレフィンを含み、貫入試験−２．５４ｃｍに従って前記テープバッキングを試験した場合に前記バッキングの貫入伸びが最大で１．３ｃｍとなるように前記テープバッキングが二軸延伸されており、前記バッキングのＭＤ引張強さが最大で１４０ＭＰａである接着テープバッキングに関する。
本発明は、その第十七の態様として、前記第十六の態様において、前記第２の成分がポリエチレン、ポリブチレン、またはシンジオタクチックポリプロピレンを含む、テープバッキングに関する。
本発明は、その第十八の態様として、前記第十七の態様において、前記バッキングが２０％〜４０％の前記第２の成分を含む、テープバッキングに関する。
本発明は、その第十九の態様として、前記第十八の態様において、前記バッキングが単層を含む、テープバッキングに関する。
本発明は、その第二十の態様として、前記第十六の態様において、前記アイソタクチックポリプロピレンが第１の融点を有し、前記第２の成分が前記第１の融点より低温で１００℃より高温の第２の融点を有する、テープバッキングに関する。
本発明は、その第二十一の態様として、前記第二十の態様において、前記第２の融点が約１２０℃〜１５５℃の間である、テープバッキングに関する。
本発明は、その第二十二の態様として、前記第十六の態様において、前記バッキングの領域延伸比が少なくとも３６：１である、請求項１６に記載のテープバッキングに関する。
本発明は、その第二十三の態様として、前記第二十二の態様において、前記バッキングのＭＤＲが少なくとも４：１である、テープバッキングに関する。
本発明は、その第二十四の態様として、前記第十六の態様において、前記バッキングをのこ歯状プラスチック製切刃で分断した場合に、前記切刃の輪郭と厳密に一致したのこ歯状端部を示す、テープバッキングに関する。
本発明は、その第二十五の態様として、前記第十六の態様において、前記バッキングが同時に二軸延伸されている、テープバッキングに関する。
本発明は、その第二十六の態様として、前記第十六の態様において、前記テープバッキングを貫入試験−２．５４ｃｍに従って試験した場合に、前記バッキングの貫入エネルギーが最大で８Ｊ／ｃｍ2となり、前記テープバッキングのＭＤ引張強さが最大で１００ＭＰａである、テープバッキングに関する。
本発明は、その第二十七の態様として、前記第二十六の態様において、前記テープバッキングを貫入試験−２．５４ｃｍに従って試験した場合に、前記バッキングの貫入エネルギーが最大で５Ｊ／ｃｍ2となり、前記テープバッキングのＭＤ引張強さが最大で５０ＭＰａである、テープバッキングに関する。
本発明は、その第二十八の態様として、前記第二十六の態様において、前記バッキングの第１の主面上に接着剤層をさらに含む、テープバッキングに関する。
本発明は、その第二十九の態様として、４０〜９０％のアイソタクチックポリプロピレンと１０％〜６０％の第２の成分を含む接着テープバッキングであって、前記第２の成分がポリオレフィンを含み、貫入試験−２．５４ｃｍに従って前記テープバッキングを試験した場合に前記バッキングの貫入エネルギーが最大で８Ｊ／ｃｍ2となるように前記テープバッキングが二軸延伸されており、前記テープバッキングの引張伸びが最大で１００ＭＰａである接着テープバッキングに関する。
本発明は、その第三十の態様として、前記第二十九の態様において、前記第２の成分がポリエチレン、ポリブチレン、またはシンジオタクチックポリプロピレンを含む、テープバッキングに関する。
本発明は、その第三十一の態様として、前記第二十九の態様において、前記テープバッキングを貫入試験−２．５４ｃｍに従って試験した場合に、前記バッキングの貫入エネルギーが最大で５Ｊ／ｃｍ2となり、前記テープバッキングの引張伸びが最大で５０ＭＰａであるテープバッキングに関する。
本発明は、その第三十二の態様として、前記第二十九の態様において、前記テープバッキングを貫入試験−２．５４ｃｍに従って試験した場合に、前記バッキングの貫入伸びが最大で１．３ｃｍとなる、テープバッキングに関する。
本発明は、その第三十三の態様として、前記第三十の態様において、前記バッキングが２０％〜４０％の前記第２の成分を含む、テープバッキングに関する。
本発明は、その第三十四の態様として、前記第三十三の態様において、前記バッキングが単層を含む、テープバッキングに関する。
本発明は、その第三十五の態様として、前記第二十九の態様において、前記アイソタクチックポリプロピレンが第１の融点を有し、前記第２の成分が前記第１の融点より低温で１００℃より高温の第２の融点を有する、テープバッキングに関する。
本発明は、その第三十六の態様として、前記第二十九の態様において、前記第２の融点が約１２０℃〜１５５℃の間である、テープバッキングに関する。
本発明は、その第三十七の態様として、前記第二十九の態様において、前記バッキングの領域延伸比が少なくとも３６：１である、テープバッキングに関する。
本発明は、その第三十八の態様として、前記第三十七の態様において、前記バッキングのＭＤＲが少なくとも４：１である、テープバッキングに関する。
本発明は、その第三十九の態様として、前記第二十九の態様において、前記バッキングをのこ歯状プラスチック製切刃で分断した場合に、前記切刃の輪郭と厳密に一致したのこ歯状端部を示す、テープバッキングに関する。
本発明は、その第四十の態様として、前記第二十九の態様において、前記バッキングが同時に二軸延伸されている、テープバッキングに関する。
本発明は、その第四十一の態様として、前記第二十九の態様において、前記バッキングの第１の主面上に接着剤層をさらに含む、テープバッキングに関する。
本発明は、その第四十二の態様として、４０〜９０％のアイソタクチックポリプロピレンと１０％〜６０％の第２の成分を含む接着テープバッキングであって、前記第２の成分がポリオレフィンを含み、貫入試験−１．２７ｃｍに従って前記テープバッキングを試験した場合に前記バッキングの貫入エネルギーが最大で９０Ｊ／ｃｍ2となるように前記テープバッキングが二軸延伸されている接着テープバッキングに関する。
本発明は、その第四十三の態様として、前記第四十二の態様において、貫入試験−１．２７ｃｍに従って前記テープバッキングを試験した場合に前記バッキングの貫入伸びが最大で２．０ｃｍとなるように前記テープバッキングが二軸延伸されている、テープバッキングに関する。
本発明は、その第四十四の態様として、４０〜９０％のアイソタクチックポリプロピレンと１０％〜６０％の第２の成分を含む接着テープバッキングであって、前記第２の成分がポリオレフィンを含み、貫入試験−１．２７ｃｍに従って前記テープバッキングを試験した場合に前記バッキングの貫入伸びが最大で２．０ｃｍとなるように前記テープバッキングが二軸延伸されており、前記バッキングのＭＤ引張強さが最大で１４０ＭＰａである接着テープバッキングに関する。
本発明は、その第四十五の態様として、二軸延伸単層バッキングを含み、前記バッキングの第１の主面上に感圧接着剤層を含む接着テープであって、
前記バッキングが４０〜９０％のアイソタクチックポリプロピレンと１０％〜６０％の第２の成分を含み、前記第２の成分がポリオレフィンを含み、前記アイソタクチックポリプロピレンが第１の融点を有し、前記第２の成分が前記第１の融点より低温で１００℃より高温の第２の融点を有し、
前記バッキングのＭＤ引張強さが最大で１４０ＭＰａとなるように前記テープバッキングが二軸延伸されており、貫入試験−１．２７ｃｍに従って前記テープバッキングを試験した場合に前記バッキングの貫入エネルギーが最大で９０Ｊ／ｃｍ2となり貫入伸びが最大で２．０ｃｍとなる接着テープに関する。